(57)【要約】 【課題】  自社店の遊戯機用コインから不正コインを確実に且つ迅速に識別できる遊戯機用コインを提供すること。【解決手段】  自社店のコインと不正コインとを確実に且つ迅速に識別することを可能ならしめる遊戯機用コインであって、レーザーマーキング可能な材料から成るコイン１の表裏面に、レーザーにより識別コード（ＱＲコード２）を施して成るものとしている。識別コードは、二次元コード又はバーコードである。レーザーの媒質は、Ｎｄ：ＹＶＯ４、又はＮｄ：ＹＡＧである。【選択図】  図１
2006338661.tif 000002
【特許請求の範囲】
【請求項１】
自社店のコインと不正コインとを確実に且つ迅速に識別することを可能ならしめる遊戯機用コインであって、レーザーマーキング可能な材料から成るコインの表裏面に、レーザーにより識別コードを施して成ることを特徴とする遊戯機用コイン。
【請求項２】
識別コードは、二次元コード又はバーコードであることを特徴とする請求項１記載の遊戯機用コイン。
【請求項３】
レーザーの媒質は、Ｎｄ：ＹＶＯ４、又はＮｄ：ＹＡＧであることを特徴とする請求項１又は２記載の遊戯機用コイン。
【請求項４】
コインを構成する材料は、金属であることを特徴とする請求項１乃至３のいずれかに記載の遊戯機用コイン。
【請求項５】
請求項１乃至４のいずれかに記載の遊戯機用コインを、上下に重なることなく移動せしめるラインに、コインに施された識別コードを読み取る読取装置を設け、前記読取装置により識別コードが読み取れたコインは前記ライン上を流れていく一方、識別コードが読み取れなかった不正コインは前記ラインから分別されるようにしてあることを特徴とする遊戯機用コイン分別装置。
【発明の詳細な説明】
【技術分野】
【０００１】
この発明は、自社店の遊戯機用コインと相違する不正コインの分別を可能ならしめる遊戯機用コイン、及び遊戯機用コインの分別装置に関するものである。
【背景技術】
【０００２】
近年、パチンコと並んでスロットマシンは非常に人気のある遊戯の一つとなってきており、老若男女にかかわらず多くの人が遊戯を楽しんでいる。
【０００３】
スロットマシンで遊戯する場合、そのホールで購入したコイン（貸し玉）を使用するが、前記コインはそれぞれのホール特有の図柄や模様等を入れたものとしてある。
【０００４】
ところで、スロットマシンの遊戯人口の増加に伴い、正規のルートで購入されていない遊戯機用コイン、他店の遊戯機用コインや直径及び厚みを一致させたコイン（この明細書では不正コインという）を持ち込んで使用する者も出てきており、これらの者の行為がホールの売り上げ管理に支障をきたしている。
【０００５】
これに対してホールによっては、客が取得したコインを計数器にかけるときに、店員が不正コインが混入しているのを見つけ排除するようにしている。つまり不正コインの分別は店員の黙視に頼っている。
【０００６】
ところが、上記のような方法では、当然のことながら見落としが多く、根本的な問題解決にはならない。
【０００７】
したがって、スロットマシンのコインを取り扱う遊戯店では、上記問題を完全に解決できるような方法を模索しているが見つからないのが現状である。
【発明の開示】
【発明が解決しようとする課題】
【０００８】
そこでこの発明では、自社店の遊戯機用コインから不正コインを確実に且つ迅速に識別できる遊戯機用コインを提供することを課題とする。
【０００９】
また、他の発明では、自社店の遊戯機用コインから不正コインを確実に且つ迅速に分別できる遊戯機用コインの分別装置を提供することを課題とする。
【課題を解決するための手段】
【００１０】
（請求項１記載の発明）
この発明の遊戯機用コインは、自社店のコインとそれ以外のコインとを確実に且つ迅速に識別することを可能ならしめる遊戯機用コインであって、レーザーマーキング可能な材料から成るコインの表裏面に、レーザーにより識別コードを施して成るものとしている。
【００１１】
（請求項２記載の発明）
この発明の遊戯機用コインは、請求項１記載の発明に関し、識別コードは、二次元コード又はバーコードである。
【００１２】
（請求項３記載の発明）
この発明の遊戯機用コインは、請求項１又は２記載の発明に関し、レーザーの媒質は、Ｎｄ：ＹＶＯ４、又はＮｄ：ＹＡＧである。
【００１３】
（請求項４記載の発明）
この発明の遊戯機用コインは、請求項１乃至３のいずれかに記載の発明に関し、コイン
を構成する材料は、金属である。
【００１４】
（請求項５記載の発明）
この発明の遊戯機用コイン分別装置は、請求項１乃至４のいずれかに記載の遊戯機用コインを、上下に重なることなく移動せしめるラインに、コインに施された識別コードを読み取る読取装置を設け、前記読取装置により識別コードが読み取れたコインは前記ライン上を流れていく一方、識別コードが読み取れなかった不正コインは前記ラインから分別されるようにしてある。
【発明の効果】
【００１５】
この発明の遊戯機用コインを採用した場合、自社店の遊戯機用コインから不正コインを確実に且つ迅速に識別できる。
【００１６】
この発明の遊戯機用コイン分別装置を採用した場合、自社店の遊戯機用コインから不正コインを確実に且つ迅速に分別できる。
【発明を実施するための最良の形態】
【００１７】
以下にこの発明の遊戯機用コイン、及び遊戯機用コイン分別装置を実施するための最良の形態としての実施例について詳細に説明する。
【００１８】
図１はこの発明の実施例の遊戯機用コインの斜視図、図２は前記遊戯機用コインの断面図、図３は前記遊戯機用コインに施されたＱＲコード（二次元コートの一種）の拡大図を示している。
【００１９】
（この遊戯機用コインについて）
この遊戯機用コイン１は、図１や図２に示すように、外周に沿って形成された厚肉リング部１０と、中央部に設けられた厚肉部１１と、前記厚肉リング部１０と厚肉部１１相互間の薄肉部１２と、前記薄肉部１２に形成された多数の放射ライン１３とを備えた円形板により構成されており、前記厚肉部１１の中央に設けられた中央凹み部１４の表裏面には図３に示す如きＱＲコード２を形成してある。
【００２０】
ここで、遊戯機用コイン１を構成する金属材料は、ＳＵＳ３０４／ＳＵＳ３０５等のステンレス、真鍮材にニッケルメッキを施したもの、ニッケル・銅・亜鉛の合金等が採用できる。
【００２１】
上記ＱＲコード２は、正方形状のものであり、レーザーの媒質をＮｄ：ＹＶＯ４（又はＮｄ：ＹＡＧ）としたレーザーマーカ〔例えば、株式会社キーエンス：完全空冷超小型ＹＶＯ４レーザーマーカ使用可〕を使用して刻印されている。なお、ＱＲコード２の大きさは〔例えば２ｍｍ×２ｍｍ〜８ｍｍ×８ｍｍ〕の範囲のものが採用できる。
【００２２】
（この遊戯機用コイン１と不正コインとを分別する装置の一例）
この種のホールにおいて売り上げ管理に支障をきたす原因となるのは、不正コインが自社店の遊戯機用コイン１と同様に計数器によりカウントされることにある。したがって、客が取得した遊戯機用コイン１が計数器手前のホッパに投入され、このホッパーから計数器に至るまでの間に他社の遊戯機用コイン１が分別される以下の装置（以下、遊戯機用コイン分別装置を付加した計数器Ｋという）が最も有効である。
【００２３】
この遊戯機用コイン分別装置を付加した計数器Ｋは、図４に示すように、(1) 〜(6) の構成を備えるものである。
【００２４】
(1) 投入された遊戯機用コイン１を詰まることなく排出口４０に導き出す攪拌機付きホッパー４
【００２５】
(2) 前記排出口４０から排出されてきた遊戯器用コイン１にＱＲコード２が形成されているか否かを読み取るコード識別器５（例えばキーエンス社ＴＬ８００等が使用可）
【００２６】
(3) コード識別器５がＱＲコード２が形成されていない不正コインであり「読み取り不能」であるときにはコード識別器５からの出力信号により遊戯機用コイン１が載置された載置面が下方に揺動する分別装置６
【００２７】
(4) コード識別器５がＱＲコード２が形成されている遊戯機用コイン１であり「読み取り可能」であるときには当該遊戯機用コイン１を下流側に移送させるベルト駆動装置７（路面７０との協同による遊戯器用コイン１を移送する）
【００２８】
(5) ベルト駆動装置７による移送途中（又は移送前）において遊戯機用コイン１を検知したときに出力信号を発するコイン検知器８
【００２９】
(6) 前記コイン検知器８からの出力信号により、累積された遊戯機用コイン１の枚数を目視可能に表示する計数器９
【００３０】
（遊戯機用コイン分別装置を付加した計数器Ｋの機能について）
この遊戯機用コイン分別装置を付加した計数器Ｋは以下のように機能する。
【００３１】
所謂ドル箱に収容された遊戯機用コイン１をホッパー４に落とし込むと、前記ホッパー４内の攪拌軸が回転し、最底部にある遊戯機用コイン１が排出口４０からコード識別器５に向かって上流側の遊戯機用コイン１からの押し力により押し出される。
【００３２】
遊戯機用コイン１がコード識別器５の下方を通過するとき、自社店の遊戯機用コイン１はＱＲコード２が識別検知され、ベルト駆動装置７による移送途中でコイン検知器８及び計数器９により累積された遊戯機用コイン１の枚数を目視可能に表示される。
【００３３】
これに対して、コード識別器５の下方を通過する遊戯機用コインが不正コインであれば、コード識別器５によりＱＲコード２は識別検知されないので、分別装置６を構成する載置面部分６０が下方に揺動してカゴ内に落下せしめられる。よって、不正コインについては一切計数されない。
【００３４】
この上記遊戯機用コイン１と上記遊戯機用コイン分別装置を付加した計数器Ｋを採用した場合、自社店の遊戯機用コイン１から不正コインを確実に且つ迅速に分別できることから、自社店の遊戯機用コイン１に不正コインが混入しても、ホールの売り上げ管理は確実にできることとなる。
【００３５】
（この遊戯機用コイン１から不正コインを分別する装置の他の例）
この遊戯機用コイン分別装置は、スロットマシンに投入された時点で不正コインを分別するものであり、図５に示すように、コイン投入口１００に繋がるシュート１０１を二股に分岐させてあると共に、その分岐点にはトルクアクチュエータによってｃ点を支点として揺動してａ位置又はｂ位置に切り替わるダンパ−１０２を設けてある。ここで、この分別装置では、コード識別器５によりＱＲコード２が検知できる自社店の遊戯機用コイン１が投入されたときにはダンパ−１０２はａ位置に、ＱＲコード２が検知できない不正コインが投入されたときにはダンパ−１０２はｂ位置に、移動するようになっている。
【００３６】
したがって、この上記遊戯機用コイン１と上記分別装置を採用した場合、自社店の遊戯機用コイン１から不正コインを確実に且つ迅速に分別できることから、自社店の遊戯機用コイン１に不正コインが混入しても、ホールの売り上げ管理はできることとなる。
【００３７】
（その他）
読取装置によるＱＲコード２の読み取りが可能であれば、ＱＲコード２を施す位置は表裏面のどの位置であってもよい。つまり、平面部分であれば場所を選ばない。
【００３８】
遊戯機用コイン１は五円硬貨のような孔開きの形態のものでもよい。
【００３９】
上記実施例では識別コードとしてＱＲコードとしているが、その他、スタック型二次元コード（従来のバーコードを縦に積み重ねた構造をもつもの）、ＱＲコード以外のマトリ
クス型二次元コード（例えば、Ｄａｔａ  Ｍａｔｒｉｘ、Ｖｅｒｉ  Ｃｏｄｅ）等でもよい。要するに自社店の遊戯機用コイン１から不正コインを確実に且つ迅速に識別できる識別コードであればよい。
【図面の簡単な説明】
【００４０】
【図１】この発明の実施例の遊戯機用コインの斜視図。
【図２】前記遊戯機用コインの断面図。
【図３】前記前記遊戯機用コインに施されたＱＲコード（識別コード）の拡大図。
【図４】遊戯機用コイン分別装置を付加した計数器の概念図。
【図５】この遊戯機用コイン分別装置の断面図。
【符号の説明】
【００４１】
Ｋ          遊戯機用コイン分別装置を付加した計数器
１          遊戯機用コイン
２          ＱＲコード
４          ホッパー
５          コード識別器
６          分別装置
７          ベルト駆動装置
８          コイン検知器
９          計数器
４０        排出口
７０        路面
【図１】
2006338661.tif 000003
【図２】
2006338661.tif 000004
【図３】
2006338661.tif 000005
【図４】
2006338661.tif 000006
【図５】
2006338661.tif 000007